(57)【要約】【課題】スクリーン５を下から上方に引き出してもその引き出し位置が維持されるようにし、さらに、スクリーンの巻き取りが円滑に行われるようにする。【解決手段】移動杆６の上下動に伴って対のリンク４１、４２を開閉させ、その連結点にばね付勢のボールと孔の嵌め合いによる節動構造を組み込む。この節動構造により、スクリーンの巻き取り・巻き戻しの所要位置を容易に維持する。スクリーンの巻き取り時、移動杆の両端に作用する力がバランスせずに、移動杆が傾き、その傾きによって、スクリーンに皺が生じた場合、引張られる側のガイド体３１の端部３１ａが揺動してその引張り力を吸収するため、スクリーン５とガイド体３１とには大きな摩擦力が発生せず、さらに、移動杆を巻取機構Ｍ側に移動させれば、移動杆がガイド体の端部３１ａを押し下げ、その押し下げによってスクリーンの皺が伸ばされ、その皺が伸ばされたスクリーンは巻取機構Ｍにより巻き取られる。【選択図】図１
2008144405.tif 000002
【特許請求の範囲】
【請求項１】
窓面に張られるスクリーン（５）と、窓枠に固定され前記スクリーン（５）を巻き取る巻取機構（Ｍ）とからなるスクリーン装置であって、前記スクリーン（５）の前記巻取機構（Ｍ）の巻き戻し端縁に移動杆（６）を固定し、この移動杆（６）と前記巻取機構（Ｍ）との間にアーム（４０）をその端でもって回転自在に連結し、前記スクリーン（５）の前記巻取機構（Ｍ）の巻き取り・巻き戻しに伴い、前記アーム（４０）を前記巻取機構（Ｍ）に対して起伏させ、そのアーム（４０）を介して、前記スクリーン（５）の巻き取り・巻き戻しの所要位置を維持するようにしたことを特徴とするロール式スクリーン装置。
【請求項２】
上記アーム（４０）がリンク機構（４１、４２）からなることを特徴とする請求項１に記載のロール式スクリーン装置。
【請求項３】
上記アーム（４０）と移動杆（６）又は巻取機構（Ｍ）との間に、前記アーム（４０）を前記巻取機構（Ｍ）に対して起立させるばね（４３）を設けたことを特徴とする請求項１又は２に記載のロール式スクリーン装置。
【請求項４】
上記アーム（４０）と移動杆（６）又は巻取機構（Ｍ）との連結部のそのアーム（４０）と移動杆（６）又は巻取機構（Ｍ）の一方にばねを介して出没自在なボール（４５）を設け、他方に連結部の回転中心を中心とする円周上に前記ボール（４５）が嵌合離脱する孔（４６）を設けて、その孔（４６）に前記ボール（４５）が嵌合して、上記スクリーン（５）の巻き取り・巻き戻しの所要位置を維持するようにしたことを特徴とする請求項１乃至３の何れかに記載のロール式スクリーン装置。
【請求項５】
上記巻取機構（Ｍ）が上記窓の下枠に固定されることを特徴とする請求項１乃至４の何れかに記載のロール式スクリーン装置。
【請求項６】
上記窓枠に固定される上下左右の框（１０、２０、３０）からなる四角状の枠（１）に上記巻取機構（Ｍ）が固定され、その巻取機構（Ｍ）が固定された框（１０）の両側の框（３０、３０）にその全長に亘って前記移動杆（６）の両端がそれぞれ摺動するガイド体（３１）を設け、
上記ガイド体（３１）はその全長に亘ってスリット（３２）が形成されて、そのスリット（３２）に上記スクリーン（５）の端縁が入り込んでそのスリット（３２）の長さ方向に移動自在になっているとともに、そのスリット（３２）を通りすぎたスクリーン（５）の端縁全長に亘って凸条（５ａ）が設けられ、この凸条（５ａ）により、スクリーン（５）の端縁がガイド体（３１）から抜け出ることなく案内されることを特徴とする請求項１乃至５の何れかに記載のロール式スクリーン装置。
【請求項７】
上記ガイド体（３１）の上記巻取機構（Ｍ）が組み込まれた框側の端部（３１ａ）は、切り離されて元のガイド体（３１）に対して揺動自在に連結されていることを特徴とする請求項６に記載のロール式スクリーン装置。
【請求項８】
上記巻取機構（Ｍ）が固定された框（１０）の両側の框（３０、３０）にその全長亘って上記移動杆（６）の両端をそれぞれ抜け出すことなく案内するガイド（３４）を設けて、上記ガイド体（３１）をそのガイド（３４）より内側に位置させたことを特徴とする請求項６又は７に記載のロール式スクリーン装置。
【請求項９】
上記巻取機構（Ｍ）は、上記スクリーン（５）が巻回される上記框内全長に亘る筒（１１）と、その筒（１１）内に挿入されてその筒（１１）を回転自在に支持する軸（１２）と、その軸（１２）の外周に設けられて前記筒（１１）にスクリーン（５）を巻き取る方向の力を付与するコイルばね（１３）とからなり、そのコイルばね（１３）は、その一端が框に固定され、他端でもって前記筒（１１）にばね力を付与するようになって、そのコイルばね（１３）の他端が前記框の長さ方向の中央に位置していることを特徴とする請求項１乃至８の何れかに記載のロール式スクリーン装置。
【発明の詳細な説明】
【技術分野】
【０００１】
この発明は、勝手口、窓等のサッシ枠に取り付ける開閉可能なロール式網戸用、各種の日除け用等として使用されるロール式スクリーン装置に関するものである。
【背景技術】
【０００２】
例えば、ロール式横引き網戸は、上下左右の框からなる四角状の枠と、その枠内全面に張られる網と、前記左右の框の一方内に組み込まれ前記網を巻き取る巻取機構Ｍと、その網の巻取機構Ｍが組み込まれた框側縁と反対側縁を固着した移動杆と、前記上下の框に設けられて前記移動杆の上下端が摺動する（上下端をガイドする）その移動杆の移動長さ全長に亘るガイド体とから成る（特許文献１  図１参照）。
【特許文献１】特開２００５−２１３９１１号公報
【０００３】
また、バス等の日除け用ロール式スクリーン装置は、窓全面に張られる日除け用スクリーンと、窓枠に固定され前記スクリーンを巻き取る巻取機構Ｍと、そのスクリ−ンの巻取機構Ｍ側縁と反対側縁に固着された移動杆とから成り、その移動杆をもってスクリーンを巻き出し・巻き戻し、そのスクリーンの巻き取り・巻き戻しの任意（所要）の位置を維持するようにしたものである（特許文献２図２、特許文献３図１、特許文献４図２、特許文献５図１  特許文献６図２  参照）。
【特許文献２】特開平７−９６７４９号公報
【特許文献３】特開平７−９７８８６号公報
【特許文献４】特開平８−１０９７７６号公報
【特許文献５】特開２０００−３０３７６１号公報
【特許文献６】特開２００１−２２７２６３号公報
【０００４】
この日除け用ロール式スクリーン装置においても、窓枠に上記移動杆の両端がそれぞれ摺動するガイド体を設け、そのガイド体として、その全長に亘ってスリットが形成され、そのスリットに上記スクリーンの端縁が入り込んでそのスリットの長さ方向に移動自在にしたものがある（特許文献２図７、特許文献３図３、特許文献４図５、特許文献５図２、  参照）。
【０００５】
また、上記網等のスクリーンの巻取機構Ｍとして、上記スクリーンが巻回される筒と、その筒内に挿入されてその筒を回転自在に支持する軸と、その軸の外周に設けられて前記筒に網を巻き取る方向の力を付与するコイルばねとからなるものがある（特許文献１図４参照）。
この巻取機構Ｍは、コイルばねの一端が框に固定され、他端でもって前記筒にばね力を付与するようになっており、スクリーンの引き出し（移動杆を巻取機構Ｍから離す方向に動かす）につれて、そのコイルばねを巻き締め、スクリーンの引き戻し（移動杆を巻取機構Ｍに向かって動かす）につれて、そのコイルばねの復帰力によりスクリーンを巻き込む。
【発明の開示】
【発明が解決しようとする課題】
【０００６】
上記の各ロール式スクリーン装置は、何れも、移動杆を上から下方に、又は横方向に移動させてスクリーンを開閉する使用態様である。このため、そのスクリーンの巻き取り・巻き戻しの任意（所要）位置の維持は、巻取機構Ｍのばねの巻き戻し力と移動杆の自重及びスクリーン端縁とガイド体との摩擦抵抗等の釣り合いによって行っている。
【０００７】
しかし、この種の各ロール式スクリーン装置において、移動杆を下から上方に移動させてスクリーンを開閉する使用態様とした場合、移動杆の自重はスクリーンを巻き取る方向に作用するため、スクリーンの巻き取り・巻き戻しの任意位置の維持は、スクリーン端縁とガイド体との摩擦抵抗等よって行わなければならないこととなり、その維持は非常に困難である。このため、そのような態様の使用をしていないのが実情である。
【０００８】
また、この種のロール式スクリーン装置において、上記移動杆を動かしてスクリーンを開閉する際、その移動杆を人手で操作するため、その移動杆の両端に作用する力がバランスし難く、そのスクリーンの巻き取り時、移動杆が傾き、その傾きによって、スクリーンに皺が生じて、巻取機構Ｍにスクリーンが完全に巻き込まれない場合が生じている。
【０００９】
さらに、上記巻取機構Ｍは、コイルばねの復帰力によりスクリーンを巻き込むが、そのコイルばねの復帰力が筒の全長に均一に作用せず、スクリーンの巻き取りが円滑になされない問題もある。
【００１０】
この発明は、上記移動杆を下から上方に移動させてスクリーンを開閉する使用態様としても、スクリーンの巻き取り・巻き戻しの所要位置の維持を容易に行い得るようにすることを第１の課題、前記スクリーンに皺が生じても、簡単な操作によってその皺を無くしてスクリーンを巻取機構Ｍに完全に巻き込まれるようにすることを第２の課題、コイルばねの復帰力（スクリーンの巻き取り力）を筒の全長に均一に作用させることを第３の課題とする。
【課題を解決するための手段】
【００１１】
上記第１の課題を達成するために、この発明は、上記移動杆と巻取機構との間に揺動アームをその端でもって回転自在に連結し、その移動杆の移動につれて、アームを巻取機構に対し起伏させて、そのアームにより、スクリーンの巻き取り・巻き戻しの所要位置を維持するようにしたのである。
このようにすれば、移動杆の移動につれて、スクリーンが巻取機構から巻き取り・巻き戻しされて開閉され、それに伴い、アームが巻取機構に対して起伏する。このとき、そのアームの連結点の回転に何らかの抵抗・規制をすることにより、アームの揺動（起伏）を規制することができるため、そのアームを介して、スクリーンの巻き取り・巻き戻しの所要位置を容易に維持することができる。
【００１２】
この発明の構成としては、窓面に張られるスクリーンと、窓枠に固定され前記スクリーンを巻き取る巻取機構とからなるスクリーン装置であって、前記スクリーンの巻取機構の巻き戻し端縁に移動杆を固定し、この移動杆と前記巻取機構との間にアームをその端でもって回転自在に連結して、スクリーンの前記巻取機構の巻き取り・巻き戻しに伴い、アームを巻取機構に対して起伏させ、アームを介して、スクリーンの巻き取り・巻き戻しの所要位置を維持するようにしたものを採用することができる。
【００１３】
上記アームは一本でも良く、複数のリンク機構からなるものとすることもできる。また、そのリンク機構もパンタグラフ式などと任意である。さらに、そのアームは、移動杆の何れの位置に設けても良く、その数も任意、例えば、移動杆の両端にそれぞれ設けることができる。
上記移動杆と巻取機構との連結点において、アームの起伏に伴いその連結点を移動杆の長さ方向に移動させる必要がある場合、例えば、図１５のアームが一本の場合、そのアームの移動態様、円滑さ等を考慮して適宜に、例えば、同図のように、巻取機構側の連結点を移動可能にする（詳細は図１５及びその説明参照）。
【００１４】
上記スクリーンの巻き取り・巻き戻しの所要位置を維持する手段は従来周知のものを適宜に採用することができる。例えば、上記アームと移動杆又は巻取機構との連結部のそのアームと移動杆又は巻取機構の一方にばねを介して出没自在なボールを設け、他方に連結部の回転中心を中心とする円周上に前記ボールが嵌合離脱する孔を設けて、その孔に前記ボールが嵌合する構成等を採用することができる。
【００１５】
上記巻取機構の窓枠への取付態様によって、スクリーンが横引きで開閉されたり、上から下方に開閉されたり、下から上方に開閉されたりするものとすることができるが、特に、窓の下枠に固定されるものとすると、下から上方に開閉する従来なかったロール式スクリーン装置とすることができる。
【００１６】
上記第２の課題を達成するために、この発明は、上記のガイド体として、その全長に亘ってスリットが形成されて、そのスリットに上記スクリーンの端縁が入り込んでそのスリットの長さ方向に移動自在になっているとともに、そのスリットを通りすぎたスクリーンの端縁全長に亘って凸条が設けられ、この凸条により、スクリーンの端縁がガイド体から抜け出ることなく案内されるものを採用し、そのガイド体の上記巻取機構が組み込まれた框側の端部は、切り離されて元のガイド体に対して揺動自在に連結されたものとしたのである。
【００１７】
スクリーンの巻き取り時（スクリーンの開放時）、上記移動杆の両端に作用する力がバランスせずに、移動杆が左右又は上下に傾き、その傾きによってスクリーンに皺が生じた場合、その移動杆の一方の端側のスクリーンが緩み、他方の端側のスクリーンは内側に引張られた状態となる。例えば、図１２において、上側が緩み、下側が引張られた状態になり、通常、緩んだ側のスクリーンは巻取機構に巻き取られ、引張られた側のスクリーンはガイド体との摩擦によって巻き取られずに、さらに、移動杆を巻取機構側に移動させても、その摩擦力等によって皺が消されずに巻き込まれ難い。
【００１８】
しかし、その引張られる側のガイド体の端部が揺動自在であると、スクリーンの上縁又は下縁がその凸条によりガイド体から抜け出ることなく案内されるもののため、そのスクリーンへの引張りに応じてガイド体端部が揺動してその引張り力を吸収する（図１１（ｃ）参照）。このため、スクリーンとガイド体（端部）とには大きな摩擦力が発生せず、さらに、移動杆を巻取機構側に移動させれば、移動杆がガイド体の端部を押し下げ（ガイド体と同一軸上に復帰させ）、その押し下げによってスクリーンの皺が伸ばされ、その皺が伸ばされたスクリーンは巻取機構により巻き取られる。すなわち、移動杆を巻取機構に沿わせることにより、スクリーンは巻取機構に完全に巻き取られる（図１１（ａ）参照）。
【００１９】
なお、通常、同じ者が移動杆を移動させ、移動杆の傾きが，例えば、図１２の鎖線に示すように左向きに傾く場合が多ければ、上側のガイド体の端部のみを揺動自在にすればよい。このため、使用態様に応じて、右側、左側又は下側、上側のガイド体の端部のみを揺動自在にすることもできるが、使用態様に影響されないように、上下又は左右のガイド体の両端部共に揺動自在とすることが好ましい。
【００２０】
この発明の構成としては、上下左右の框からなる四角状の枠と、その枠内全面に張られるスクリーンと、前記一の框内に組み込まれ前記スクリーンを巻き取る巻取機構と、そのスクリーンの巻取機構が組み込まれた框側縁と反対側縁を固着した移動杆と、前記巻取機構が組み込まれた框の両側の框に設けられて前記移動杆の両端が摺動するその移動杆の移動長さ全長に亘るガイド体とから成り、前記ガイド体はその全長に亘ってスリットが形成されて、そのスリットに前記スクリーンの側縁が入り込んでそのスリットの長さ方向に移動自在になっているとともに、そのスリットを通りすぎたスクリーンの側縁全長に亘って凸条が設けられ、この凸条により、スクリーンの側縁がガイド体から抜け出ることなく案内され、前記ガイド体の前記巻取機構が組み込まれた框側の端部は、切り離されて元のガイド体に対して揺動自在に連結されているものを採用できる。
【００２１】
この構成において、上記框にその全長に亘って上記移動杆の両端が抜け出ることなく案内するガイドを設けて、上記ガイド体をそのガイドより内側に位置させたものとすることができる。
このガイドがなければ、移動杆も上記ガイド体によって案内されることとなるが、このようにすれば、移動杆が別途のガイドにより案内されることとなり、その案内作用が円滑になる。この案内が円滑になることにより、スクリーンの巻き取り時、スクリーンが引張られてガイド体端部が揺動した際、そのガイド体端部を移動杆で押し下げる作用も確実になって、上記巻取機構へのスクリーンの巻き取り作用もより円滑になる（図１１（ａ）参照）。
【００２２】
上記第３の課題を達成するために、この発明は、上記巻取機構に上記のコイルばね式を採用し、そのコイルばねの復帰力を作用させる点を框の長さ方向の中央に位置させることとしたのである。
このように、框の長さ方向の中央で復帰力を筒に作用させて巻き取ると、筒全長に亘って均一にその復帰力が作用するため、その巻き取り作用も円滑になされる。
【発明の効果】
【００２３】
この発明は、以上のように、アームの起伏（揺動）度合によりスクリーンの開閉度合を調整するようにしたので、従来にないロール式スクリーン装置とすることができる。
また、ガイド体の端部を揺動自在としたので、巻取機構にスクリーンを円滑かつ完全に巻き取らせることができる。
さらに、框の長さ方向の中央でコイルばねの復帰力を筒に作用させて巻き取ることにより、その巻き取り作用も円滑になし得る。
【発明を実施するための最良の形態】
【００２４】
図１〜図１１に一実施形態を示し、この実施形態は、上下左右の框２０、１０、３０、３０からなる四角状の枠１と、その枠１内全面に張られるスクリーン５と、下側の框１０内に組み込まれたスクリーン巻取機構Ｍと、そのスクリーン５の巻取機構Ｍが組み込まれた框側縁と反対側縁（図１において上側縁）を固着した移動杆６と、前記左右の框３０、３０に設けられて前記移動杆６の左右端が摺動するその移動杆６の移動長さ全長に亘るガイド体３１、３１と、移動杆６と巻取機構Ｍとの間に連結されたアーム４０から成る。
各框１０、２０、３０及び移動杆６は、アルミニウムの引き抜き成型品である。
【００２５】
なお、左右の框３０、３０及びその構成部材であるガイド体３１、３１等は、左右対称なものであるため、以下は、両者を単に、「框３０」、「ガイド体３１」等と言う。図中、７は取手であり、スクリーン５はゴム帯８を介して移動杆６に固着されている（図１０参照）。この取手７は省略できる。
【００２６】
上記スクリーン５は、日除けの機能を有する適宜な素材から成り、その上下左右の各縁全長に亘ってスライドファスナーの一方の歯（ムシ）が設けられて、その各縁に全長に亘る凸条５ａを有する（図５、図６、図１０参照）。
【００２７】
上記巻取機構Ｍは、下側の框１０内に組み込まれており（そのケーシングが下側框となっており）、上記スクリーン５が巻回される前記框（ケーシング）１０内全長に亘る筒１１と、その筒１１内に挿入されてその筒１１を回転自在に支持する軸１２と、その軸１２の外周に設けられて前記筒１１にスクリーン５を巻き取る方向の力を付与するコイルばね１３とからなる（図９参照）。
【００２８】
上記筒１１はその両端に回転子１７が嵌められ、その一方の回転子１７（図１において左側）に支軸１７ａが固定され（図７（ａ）参照）、他方の回転子（図７において右側）に軸１２が回転自在に貫通してその貫通部が支軸１２ａとなっている（図７（ｄ）参照）。一方の支軸１７ａは框１０内の軸受１８に回転自在に支持され、他方の支軸１２ａは同軸受１８に回転不能に支持されている。このため、筒１１は、軸１２及び框１０に対しその軸１２を軸心として回転自在である。
【００２９】
また、筒１１の内面一部に全長に亘る円環状凸条１４が形成されており、この凸条１４内にスクリーン５の縁の凸条５ａを挿入するととともに、その凸条１４のスリット１５にスクリーン５の縁を挿し入れることにより、筒１１にスクリーン５を取り付ける（図９参照）。このとき、スクリーン５の凸条５ａの幅（厚み）がスリット１５の幅より大きく設定されているため、スリット１５から凸条５ａは抜け出ず、筒１１が軸１２周りに回転することにより、スクリーン５が筒１１に巻き取られる。
【００３０】
さらに、この筒１１には軸１２が挿し入れられており、この軸１２の先端及びその途中に回転子１６が回転自在に嵌められている。その先端の回転子１６は軸１２の軸方向に移動不動となっており、一方、途中の回転子１６は移動自在になっている。この各回転子１６もその外周に溝１６ａを有して、この溝１６ａに筒１１の凸条１４が嵌ることにより、各回転子１６、１６は筒１１と一体に回転する。なお、上記筒１１両端の回転子１７も同様な溝が形成されて、その溝に筒１１の凸条１４が嵌ることによって、その回転子１７も筒１１と一体に回転する。
【００３１】
上記軸１２の外周にはコイルばね１３が嵌められている。このコイルばね１３の一方の端（図１では右端）が軸１２に固定され、他の端が上記途中の回転子１６に固定されている。軸１２が回転可能の場合には、コイルばね１３の一方の端は框１０に固定する。その途中の回転子１６（コイルばね１３の他端）は框１０の長さ方向の中央に位置しており、その先の回転子１６（図１の左側）は框１０の長さの４等分位に位置する。
【００３２】
上記ガイド体３１は角筒状をしており、一面にその全長に亘ってスリット３２が形成されて、そのスリット３２に上記スクリーン５の左縁又は右縁がその各凸条５ａがガイド体３１内に位置するように入り込んで、そのスリット３２の長さ方向に移動自在になっている（図１１各図参照）。このため、スクリーン５はこのガイド体３１によりスリット３２を介して抜け出ることなく案内される。
【００３３】
また、このガイド体３１の上記巻取機構Ｍが組み込まれた框１０側の端部３１ａは、切り離されて元のガイド体３１に対して上下方向に揺動自在に連結されている（図１０、図１１各図参照）。この連結手段としては、図１０に示すように、テープ３３を使用したり、ガイド体３１を樹脂成形する際、その連結部を薄肉にして屈曲自在に一体成形したりする等を採用できる。
そのガイド体端部３１ａの上片は両端がカットされて台形状とされており、図１０鎖線に示す揺動時、その揺動に支障がないようになっている。その台形の斜辺は上記ガイド体３１の一面に至っている。
【００３４】
左右の框３０は、対向するＬ字状のガイド片３４ａ、３４ａからなるガイド３４を有しており、このガイド３４にそのスリット（両ガイド片３４ａ、３４ａの対向する間隙）３５を介して移動杆６の摺動子６ａが嵌り込んで、このガイド３４により、移動杆６（摺動子６ａ）が框３０から抜け出ることなく案内される。このガイド３４の内側に上記ガイド体３１が位置される（図１１各図参照）。摺動子６ａの摺動面は円弧面とされ、その摺動面に対向する移動杆６の面も同様に円弧面となっており（図１０、図１１各図参照）、この両円弧面によって移動杆６の少しの傾きを吸収しつつ、移動杆６がガイド３４を移動する。
【００３５】
上記アーム４０は、対のリンク４１、４２からなって、移動杆６の左右にそれぞれ設けられている。その対のリンク４１、４２はその両端が巻取機構Ｍのケーシングをなす框１０又は移動杆６にそれぞれ回転自在に連結されている。このため、移動杆６の移動につれて、スクリーン５が巻取機構Ｍから巻き取り・巻き戻しされ、それに伴い、対のリンク４１、４２が開閉する（アーム４０が巻取機構Ｍに対して起伏する）。
【００３６】
その対のリンク４１、４には、その突片４３ａと巻取機構Ｍのケーシングをなす框１０との間にコイルばね４３が設けられており、このコイルばね４３により、常時、開放方向（起立方向）の付勢力が付与されている。その付勢力は、スクリーン５を巻取機構Ｍに完全に巻き込んだ際、そのばね１３の付勢力より弱くてスクリ−ン５が巻き戻されない（引き出されない）ように設定されている。このとき、両コイルばね１３、４３のばね定数は、スクリーン５の巻き取り・巻き戻し作用が円滑になされるように実験等によって適宜に設定する。
【００３７】
対のリンク４１、４２の連結部は、図８に示すように、一方のリンク４１の端部にばね４４を介して出没自在なボール（鋼球）４５を設け、他方のリンク４２の端部に連結部回転中心（軸４７）を中心とする円周上に前記ボール４５が嵌合離脱する孔４６を設けた構成となっている。その孔４６にボール４５が嵌合することにより、対のリンク４１、４２の開閉が規制され、そのスクリーン５の巻き取り・巻き戻しの位置が維持される。一方、その状態から、対のリンク４１、４２を手でもって開閉すれば、ボール４５がばね４４に抗して没し（後退し）てその対のリンク４１、４２の開閉を許容する。
このため、孔４６を任意数、任意の間隔で設けることにより、その各孔４６とボール４５の嵌合位置に応じたスクリーン５の巻き取り・巻き戻し位置が維持される。
【００３８】
この実施形態は以上の構成であり、従来と同様に、鉄道の窓、バスの窓（図１４参照）等の下から上方にスクリーン５を開閉させたい所に設置する。その設置状態において、図１矢印のように、移動杆６を左右のガイド３４、３４を介して上下に移動することにより、スクリーン５を巻取機構Ｍから引き出し・巻き取って開閉する。
このとき、その移動杆６の上下動に伴って、アーム４０が起伏し（対のアーム４１、４２が開閉し）、各孔４６にボール４５が適宜に嵌合することにより、そのスクリーン５の巻き取り・巻き戻し位置が維持される。
【００３９】
また、図１１（ａ）、同図（ｂ）に示すように、スクリーン５は、巻取機構Ｍからの引き出し・巻き取りにつれて、ガイド体３１に案内されて移動する。
そのスクリーン５の巻き取り時（スクリーンの開放時）、移動杆６の左右端に作用する力がバランスせずに、図３鎖線に示すように、移動杆６が上下に傾き、その傾きによって、スクリーン５に皺が生じた場合、その移動杆６の一方（図１では右側）の端のスクリーン５が緩み、他方（図１では左側）の端のスクリーン５は内側に引張られた状態となると、図１１（ｃ）に示すように、その引張られる側のガイド体３１の端部３１ａも左方に揺動してその引張り力を吸収する。
このため、スクリーン５とガイド体３１（端部３１ａ）とには大きな摩擦力が発生せず、その図１１（ｃ）の状態から、さらに、移動杆６の右端を巻取機構Ｍ側に移動させれば、図１１（ａ）に示すように、移動杆６がガイド体３１の端部３１ａを押し下げ、その押し下げによってスクリーン５の皺が伸ばされ、その皺が伸ばされたスクリーン５は巻取機構Ｍにより完全に巻き取られる。
【００４０】
また、コイルばね１３の復帰力を作用させる点（途中の回転子１６）が框１０の長さ方向の中央（スクリーン５の上下方向中央）に位置しているため、スクリーン５の巻き取り時、そのコイルばね１３の復帰力が筒１１全長に亘って均一に作用して、その巻き取り作用が円滑になされる。
さらに、コイルばね１３の巻き締め・巻き戻し時、その他端の回転子１６が軸１２上を動いて、その巻き締め・巻き戻し作用を円滑にする。
【００４１】
この実施形態は上下に移動杆６を移動させてスクリーン５を開閉するものであったが、図１２に示すように、巻取機構Ｍを左側又は右側の框３０内のみに組み込むことにより、左引き開放又は右引き開放の横引きスクリーンとすることができる。この場合、図１３に示すように、上記巻取機構Ｍを両左右の框３０、３０内にそれぞれ組み込み、その両巻取機構Ｍから巻き出した対のスクリーン５を枠１の中央で切り離し可能に連結することによって、両開きの横引きスクリーンとすることができる。その両開きの横引きスクリーンを上下に開くようにすることもできる（図１において、上側框２０内にも巻取機構Ｍを設ける）。
また、図１４に示すように、バス等の屋根窓に設けた態様とすることもできる。
【００４２】
アーム４０は、対のリンク４１、４２で構成する以外に、３本以上のリンクを連結したパンタグラフ式、逆に、図１５に示すように、１本のアーム杆４７で構成されるものとすることもできる。この場合、そのアーム杆４７の框２０との連結点は、摺動コロ４８が回転自在に設けられ、その框２０にはその長さ方向にその摺動コロ４８が転動移動する溝１９が設けられている。また、アーム杆４７の移動杆６との連結点４８ａは、上記ボール４５と孔４６の節動嵌合構造となっている。
このため、移動杆６の上下動によるスクリーン５の巻取機構Ｍの巻き取り・巻き戻しに伴い、アーム杆４７が框２０に対して起伏し、それに伴う各孔４６とボール４５との嵌合により、そのスクリーン５の巻き取り・巻き戻しの位置が維持される。節動嵌合構造は巻取機構Ｍ側の連結点とすることができる。
【００４３】
スクリーン５には、日除け用のみならず、防虫網などのこの発明が適用できるあらゆるロール式スクリーン装置の材料を採用することができる。
また、このスクリーン装置は、既設の窓枠に取り付けるのみならず、新設の窓枠に組み込むこともできる。さらに、枠のないある空間の一部分にスクリーンを設けたい場合、その空間枠の一部をなす固定物に巻取機構Ｍを固定することにより、そのスクリーンを構成することができる。この場合、例えば、図１５に示す周囲に枠の無い態様とする。
【図面の簡単な説明】
【００４４】
【図１】一実施形態の斜視図
【図２】同実施形態のスクリーンの全閉状態の斜視図
【図３】同実施形態のスクリーンの全開状態の斜視図
【図４】同実施形態の要部背面斜視図
【図５】同実施形態の切断左側面図
【図６】同実施形態の要部切断平面図
【図７】同実施形態の巻取機構Ｍが組み込まれた框部分の要部切断正面図であり、（ａ）は左端部分、（ｂ）は先端回転子部分、（ｃ）は中央部分、（ｄ）は基端部分
【図８】同実施形態のアームの要部を示し、（ａ）は正面図、（ｂ）は切断側面図
【図９】巻取機構Ｍの要部切断斜視図
【図１０】同実施形態のスクリーンガイド部の要部分解斜視図
【図１１（ａ）】同実施形態の作用図
【図１１（ｂ）】同実施形態の作用図
【図１１（ｃ）】同実施形態の作用図
【図１２】他の実施形態の正面図
【図１３】他の実施形態の斜視図
【図１４】他の実施形態の要部斜視図
【図１５】他の実施形態の斜視図
【符号の説明】
【００４５】
１  四角状枠
５  スクリーン
５ａ  スクリーンの縁の凸条
６  移動杆
１０、２０、３０  框
１１  巻取機構Ｍの筒
１２  巻取機構Ｍの軸
１３  巻取機構Ｍのコイルばね
１４  筒の凸条
１６  回転子
１６  摺動溝
３１  ガイド体
３１ａ  ガイド体の端部
３２  スリット
４０  アーム
４１、４２  リンク
４３  ばね
４５  ボール
４６  孔
４７  アーム杆
４８  摺動コロ
Ｍ  巻取機構
【図１】
2008144405.tif 000003
【図２】
2008144405.tif 000004
【図３】
2008144405.tif 000005
【図４】
2008144405.tif 000006
【図５】
2008144405.tif 000007
【図６】
2008144405.tif 000008
【図７】
2008144405.tif 000009
【図８】
2008144405.tif 000010
【図９】
2008144405.tif 000011
【図１０】
2008144405.tif 000012
【図１１（ａ）】
2008144405.tif 000013
【図１１（ｂ）】
2008144405.tif 000014
【図１１（ｃ）】
2008144405.tif 000015
【図１２】
2008144405.tif 000016
【図１３】
2008144405.tif 000017
【図１４】
2008144405.tif 000018
【図１５】
2008144405.tif 000019